(57)【要約】      （修正有）【課題】画像転送における煩雑さを解消することができる医用画像処理装置および当該医用画像処理装置を備える医用画像転送システムを提供する。【解決手段】医用画像処理装置は、記憶回路９と、転送回路１７とを備える。記憶回路９は、被検体を撮影して得られた複数の医用画像と、複数の医用画像各々に関連付けられる複数の付帯情報とを記憶する。転送回路１７は、複数の医用画像を所定の転送順序に従って外部装置へ転送する。転送回路１７は、医用画像に関連付けられた付帯情報が所定の判定条件と合致する場合、所定の転送順序を変更して複数の医用画像を外部装置へ転送する。【選択図】図１
2017000750.tif 000002
【特許請求の範囲】
【請求項１】
被検体を撮影して得られた複数の医用画像と、前記複数の医用画像各々に関連付けられる複数の付帯情報とを記憶する記憶回路と、
前記複数の医用画像を所定の転送順序に従って外部装置へ転送する転送回路と、
を具備し、
前記転送回路は、前記医用画像に関連付けられた付帯情報が所定の判定条件と合致する場合、前記所定の転送順序を変更して前記複数の医用画像を外部装置へ転送する医用画像処理装置。
【請求項２】
前記転送回路は、前記複数の医用画像に関する前記外部装置への転送依頼を格納する格納回路を有し、
前記転送回路は、
前記格納回路に格納された転送依頼に対応する医用画像に関連付けられた付帯情報が所定の判定条件と合致する場合、前記格納回路に格納された転送依頼を受けた順序に対応する転送順序を変更して前記複数の医用画像を転送し、
前記格納回路に格納された転送依頼に対応する医用画像に関連付けられた付帯情報が所定の判定条件と合致しない場合、前記所定の転送順序として、前記格納回路に格納された転送依頼を受けた順序に対応する転送順序で前記複数の画像を転送する、
請求項１記載の医用画像処理装置。
【請求項３】
前記所定の転送順序は、前記格納回路へ格納する前記転送する医用画像の格納順序と、検査リスト表示順序とのうち少なくとも１つに基づいて設定される請求項２記載の医用画像処理装置。
【請求項４】
前記付帯情報と所定の判定条件とを照合して、前記所定の判定条件と合致した付帯情報に関連付けられた前記複数の医用画像に関する転送順序を設定する処理回路をさらに具備する請求項１記載の医用画像処理装置。
【請求項５】
前記処理回路は、
前記付帯情報と所定の判定条件とを照合して、前記所定の判定条件と合致した付帯情報に関連付けられた前記複数の医用画像に関する転送の優先度を判定し、
前記判定した優先度に応じて前記転送回路による前記複数の医用画像に関する転送順序を設定する
請求項４記載の医用画像処理装置。
【請求項６】
前記記憶回路は、前記複数の医用画像として、複数のボリューム画像を記憶し、前記複数のボリューム画像は、それぞれ複数のフレーム画像を含み、前記複数のボリューム画像各々に前記付帯情報を関連付けて記憶する請求項４記載の医用画像処理装置。
【請求項７】
前記処理回路は、前記合致した付帯情報に関連付けられた複数のボリューム画像のうち、異なるシリーズかつ異なるボリューム画像間において、前記ボリューム画像単位で交互に前記複数のフレーム画像を転送するよう前記転送順序を設定する請求項６記載の医用画像処理装置。
【請求項８】
前記処理回路は、少なくとも一つのフレーム画像が前記異なるボリューム画像から交互に転送されるよう前記転送順序を設定する請求項７記載の医用画像処理装置。
【請求項９】
前記記憶回路は、前記複数の医用画像として、複数のボリューム画像を記憶し、前記複数のボリューム画像は、それぞれ複数のフレーム画像を含み、前記複数のフレーム画像各々に前記付帯情報を関連付けて記憶する請求項４記載の医用画像処理装置。
【請求項１０】
前記処理回路は、前記合致した付帯情報に関連付けられた複数のボリューム画像のうち、異なるシリーズかつ異なるボリューム画像間において、前記フレーム画像単位で交互に前記複数のフレーム画像を転送するよう前記転送順序を設定する請求項９記載の医用画像処理装置。
【請求項１１】
前記処理回路は、少なくとも一つのフレーム画像が前記異なるボリューム画像から交互に転送されるよう前記転送順序を設定する請求項１０記載の医用画像処理装置。
【請求項１２】
前記処理回路は、前記合致した付帯情報に関連付けられた複数のボリューム画像のうち、同一シリーズかつ異なるボリューム画像間において、前記フレーム画像単位で交互に前記複数のフレーム画像を転送するよう前記転送順序を設定する請求項９記載の医用画像処理装置。
【請求項１３】
前記処理回路は、少なくとも一つのフレーム画像が前記異なるボリューム画像から交互に転送されるよう前記転送順序を設定する請求項１２記載の医用画像処理装置。
【請求項１４】
前記記憶回路は、前記複数の医用画像として複数のフレーム画像を記憶し、前記複数のフレーム画像各々に前記付帯情報を関連付けて記憶する請求項４記載の医用画像処理装置。
【請求項１５】
前記処理回路は、前記合致した付帯情報に関連付けられた複数のフレーム画像のうち、異なるシリーズ間において、交互に前記複数のフレーム画像を転送するよう前記転送順序を設定する請求項１４記載の医用画像処理装置。
【請求項１６】
ネットワークを介して接続される、医用画像処理装置と外部装置とを有する医用画像転送システムにおいて、
前記医用画像処理装置は、
被検体を撮影して得られた複数の医用画像と、前記複数の医用画像各々に関連付けられる複数の付帯情報とを記憶する記憶回路と、
前記複数の医用画像を所定の転送順序に従って外部装置へ転送する転送回路と、
を備え、
前記転送回路は、前記医用画像に関連付けられた付帯情報が所定の判定条件と合致する場合、前記所定の転送順序を変更して前記複数の医用画像を外部装置へ転送し、
前記外部装置は、
前記所定の判定条件がユーザにより入力される入力回路と、
前記入力回路に入力された所定の判定条件を満たす前記複数の医用画像を前記転送回路から受信する受信回路と、
を備える医用画像転送システム。
【発明の詳細な説明】
【技術分野】
【０００１】
本発明の実施形態は、外部装置への画像転送処理を実行する医用画像処理装置および医用画像転送システムに関する。
【背景技術】
【０００２】
例えば、Ｘ線コンピュータ断層撮影（ＣＴ：Computed Tomography）装置および磁気共鳴イメージング（ＭＲＩ：Magnetic Resonance Imaging）診断装置等の医用画像診断装置（医用画像処理装置を含む）で発生した画像は、医用画像診断装置とは別に設けられた、医用画像解析装置（例えば、ワークステーション）および医用画像管理システム（ＰＡＣＳ：Picture Archiving and Communication System）等の外部装置へ転送される。例えば、医用画像解析装置へ転送された画像は、医用画像解析装置に内蔵された臨床アプリケーションにより解析される。
【０００３】
ここで、上記医用画像診断装置は、画像の格納順番および画像リストの表示順番等に基づいて、医用画像解析装置へ画像を転送する転送順番を設定する。医用画像診断装置は、設定した転送順番に従って、医用画像解析装置へ画像データを転送する。すべての画像転送が完了した後、医用画像解析装置は、臨床アプリケーションでの解析を開始する。
【０００４】
しかしながら、従来の医用画像診断装置は、すべての画像転送が完了するまで、臨床アプリケーションによる解析を実行不可能であった。また、医用画像診断装置で発生される画像枚数の増加および画像のマトリクスサイズの拡大が顕著である。画像枚数の増加および画像のマトリクスサイズの拡大に伴い、医用画像診断装置から医用画像解析装置または医用画像管理システムへの画像転送時間が増加する。これにより、画像転送開始から臨床アプリケーションによる解析まで時間がかかる。すなわち、診断までに長い時間待たされるという課題があった。また、画像転送に時間がかかった場合、途中で画像転送が打ち切られることもある。これにより、画像解析および診断ができないという課題もあった。
【先行技術文献】
【特許文献】
【０００５】
【特許文献１】特表２００１−５０８２０３号公報
【特許文献２】特開２００９−１９５３９８号公報
【発明の概要】
【発明が解決しようとする課題】
【０００６】
本実施形態の目的は、画像転送における煩雑さを解消することができる医用画像処理装置および当該医用画像処理装置を備える医用画像転送システムを提供することにある。
【課題を解決するための手段】
【０００７】
実施形態によれば、医用画像処理装置は、被検体を撮影して得られた複数の医用画像と、前記複数の医用画像各々に関連付けられる複数の付帯情報とを記憶する記憶回路と、前記複数の医用画像を所定の転送順序に従って外部装置へ転送する転送回路と、を具備する。前記転送回路は、前記医用画像に関連付けられた付帯情報が所定の判定条件と合致する場合、前記所定の転送順序を変更して前記複数の医用画像を外部装置へ転送する。
【図面の簡単な説明】
【０００８】
【図１】図１は、第１実施形態に係る医用画像転送システムを示すブロック図である。
【図２Ａ】図２Ａは、図１に示す記憶回路に記憶される、優先度の判定に用いる項目（パラメータ）リストの一例を示す図である。
【図２Ｂ】図２Ｂは、図１に示す記憶回路に記憶される、優先度の判定に用いる項目（パラメータ）リストの一例を示す図である。
【図３】図３は、実施例１における医用画像診断装置が所定のスタディを実行し、その結果当該スタディにおいて得られた複数のシリーズに亘る医用画像を転送するまでの流れを示すフローチャートである。
【図４】図４は、実施例１において、ステップＳａ１〜Ｓａ３の画像取得処理によって取得され、記憶回路に記憶された医用画像のデータ構造の模式図である。
【図５】図５は、実施例１において転送順序を設定する流れを示すフローチャートである。
【図６】図６は、実施例１における、処理回路により生成された転送順序と転送するボリュームとを関連付けた転送テーブルの一例を示す図である。
【図７】図７は、実施例２における医用画像診断装置が所定のスタディを実行し、その結果当該スタディにおいて得られた複数のシリーズに亘る医用画像を転送するまでの流れを示すフローチャートである。
【図８】図８は、実施例２において、ステップＳｂ１〜Ｓｂ３の画像取得処理によって取得され、記憶回路に記憶された医用画像のデータ構造の模式図である。
【図９】図９は、実施例２において転送順序を設定する流れを示すフローチャートである。
【図１０】図１０は、実施例２における、処理回路により生成された転送順序と転送するフレームとを関連付けた転送テーブルの一例を示す図である。
【図１１】図１１は、実施例３における医用画像診断装置が所定のスタディを実行し、その結果当該スタディにおいて得られた複数のシリーズに亘る医用画像を転送するまでの流れを示すフローチャートである。
【図１２】図１２は、実施例３において、ステップＳｃ１〜Ｓｃ３の画像取得処理によって取得され、記憶回路に記憶された医用画像のデータ構造の模式図である。
【図１３】図１３は、実施例３において転送順序を設定する流れを示すフローチャートである。
【図１４】図１４は、実施例３における、処理回路により生成された転送順序と転送するフレームとを関連付けた転送テーブルの一例を示す図である。
【図１５】図１５は、実施例４における医用画像診断装置が所定のスタディを実行し、その結果当該スタディにおいて得られた複数のシリーズに亘る医用画像を転送するまでの流れを示すフローチャートである。
【図１６】図１６は、実施例４において、ステップＳｄ１〜Ｓｄ３の画像取得処理によって取得され、記憶回路に記憶された医用画像のデータ構造の模式図である。
【図１７】図１７は、実施例４において転送順序を設定する流れを示すフローチャートである。
【図１８】図１８は、実施例４における、処理回路により生成された転送順序と転送するフレームとを関連付けた転送テーブルの一例を示す図である。
【図１９】図１９は、実施例５における医用画像診断装置が所定のスタディを実行し、その結果当該スタディにおいて得られた同一シリーズに属する複数の医用画像を転送するまでの流れを示すフローチャートである。
【図２０】図２０は、実施例５において、ステップＳｅ１〜Ｓｅ３の画像取得処理によって取得され、記憶回路に記憶された医用画像のデータ構造の模式図である。
【図２１】図２１は、実施例５において転送順序を設定する流れを示すフローチャートである。
【図２２】図２２は、実施例５における、処理回路により生成された転送順序と転送するフレームとを関連付けた転送テーブルの一例を示す図である。
【図２３】図２３は、実施例５において、医用画像診断装置からワークステーションへ転送したデュアルエネルギー画像の表示態様の一例を示す図である。
【図２４】図２４は、実施例６における医用画像診断装置が所定のスタディを実行し、その結果当該スタディにおいて得られた複数のスタディに亘る医用画像を転送するまでの流れを示すフローチャートである。
【図２５】図２５は、実施例６において、ステップＳｆ１〜Ｓｆ３の画像取得処理によって取得され、記憶回路に記憶された医用画像のデータ構造の模式図である。
【図２６】図２６は、実施例６において転送順序を設定する流れを示すフローチャートである。
【図２７】図２７は、実施例６における、処理回路により生成された転送順序と転送するフレームとを関連付けた転送テーブルの一例を示す図である。
【図２８】図２８は、実施例６における、医用画像診断装置からワークステーションへ転送した術前／術後画像の表示態様の一例を示す図である。
【図２９】図２９は、実施例７における医用画像診断装置が所定のスタディを実行し、その結果当該スタディにおいて得られた複数のスタディに亘る医用画像を転送するまでの流れを示したフローチャートである。
【図３０】図３０は、第２実施形態に係る医用画像転送システムを示すブロック図である。
【図３１】図３１は、第２実施形態に係る医用画像診断装置が所定のスタディを実行し、その結果当該スタディにおいて得られた複数のシリーズに亘る医用画像を転送するまでの流れを示したフローチャートである。
【発明を実施するための形態】
【０００９】
以下、本実施形態に係る医用画像処理装置および当該医用画像処理装置を有する医用画像転送システムについて、図面を参照して説明する。なお、以下の説明において、略同一の機能および構成を有する構成要素については、同一符号を付し、重複説明は必要な場合にのみ行う。
【００１０】
（第１実施形態）  
図１は、第１実施形態に係る医用画像転送システムを示すブロック図である。
【００１１】
図１に示すように、医用画像転送システムは、医用画像診断装置（医用画像処理装置を含む）１と、画像解析を実行する医用画像解析装置（ＷＳ）５００と、医用画像を保管するＰＡＣＳ７００とを備える。例えば、医用画像診断装置１と、ＷＳ５００と、ＰＡＣＳ７００とは、互いにネットワークＮＷを介して接続される。なお、図１では、医用画像診断装置１の一例として、Ｘ線ＣＴ装置の構成を示す。なお、第１実施形態において、医用画像診断装置１の一例として、Ｘ線ＣＴ装置の構成を示すが、これに限定されない。例えば、医用画像診断装置１は、ＭＲＩ装置、Ｘ線診断装置、核医学診断装置、および超音波診断装置であってもよい。以降の実施形態においても同様である。
【００１２】
図１に示すように、医用画像診断装置１は、ガントリ３と、前処理回路５と、再構成回路７と、記憶回路９と、入力インターフェース（ＩＦ）回路１１と、表示回路１３と、処理回路１５と、転送回路１７と、通信インターフェイス（ＩＦ）回路１９と、システム制御回路２１とを備える。
【００１３】
ガントリ３は、slip ring３０１と、管電圧発生装置３０３と、Ｘ線管３０５と、Ｘ線検出器３０７と、データ収集回路（ＤＡＳ：Data Acquisition System）３０９と、非接触データ伝送装置３１１とを内部に有している。ガントリ３は、回転リング３１３、被検体の体軸（Ｚ軸）を回転軸として回転自在に回転リング３１３を支持するリング支持機構、および回転リング３１３を回転駆動させる回転駆動装置（電動機）３１５等を有する。回転リング３１３の開口部分には、被検体Ｐを載置可能な天板Ｔが挿入される。天板Ｔは、回転リング３１３の中心軸に沿って移動可能に寝台（図示せず）に支持される。ここで、天板Ｔに載置された被検体Ｐの体軸が回転リング３１３の中心軸に一致するように、天板Ｔが位置決めされる。回転リング３１３には、管電圧発生装置３０３、Ｘ線管３０５、ＤＡＳ３０９、および非接触データ伝送装置３１１と、図示していない冷却装置と、ガントリ制御装置と等が搭載される。ガントリ制御装置は、例えば、プロセッサ、メモリ等によって構成される。
【００１４】
管電圧発生装置３０３は、システム制御回路２１による制御の下で、Ｘ線管３０５に印加する管電圧と、Ｘ線管３０５に供給するフィラメント電流（Filament current）とを発生する。例えば、管電圧発生装置３０３は、Ｘ線管３０５に供給する管電圧を高電圧（例えば１４０ｋＶ）と低電圧（例えば８０ｋＶ）との間で周期的に変化させる。
【００１５】
Ｘ線管３０５は、スリップリング３０１を介して、管電圧発生装置３０３からの管電圧の印加およびフィラメント電流の供給を受ける。Ｘ線管３０５は、Ｘ線の焦点から天板Ｔに載置された被検体ＰへＸ線を放射する。Ｘ線管３０５は、管電圧発生装置３０３により印加される管電圧に対応するエネルギースペクトルを有するＸ線を発生する。例えば、Ｘ線管３０５は、管電圧発生装置３０３により印加される高電圧および低電圧それぞれに対応するエネルギースペクトルを有するＸ線を発生する。Ｘ線の放射範囲は、図１に示す二点鎖線で示す。
【００１６】
Ｘ線検出器３０７は、回転軸を挟んでＸ線管３０５に対峙する位置および角度で、回転リング３１３に取り付けられる。Ｘ線検出器３０７は、複数の受光帯を有する。ここでは、単一の受光帯が単一のチャンネルを構成しているものとして説明する。複数のチャンネルは、回転軸に直交し、かつ放射されるＸ線の焦点を中心として、この中心から１チャンネル分の受光帯の中心までの距離を半径とする円弧方向（チャンネル方向）とＺ方向（スライス方向）との２方向に関して２次元状に配列される。Ｘ線検出器３０７の出力側には、ＤＡＳ３０９が接続される。Ｘ線検出器３０７は、複数の受光帯を１列に配列する。このとき、複数の受光帯各々は、上記チャンネル方向に沿って略円弧方向に１次元状に配列される。また、複数の受光帯は、チャンネル方向とスライス方向との２方向に関して２次元状に配列させてもよい。すなわち、２次元状の配列は、上記チャンネル方向に沿って一次元状に配列された複数のチャンネルを、スライス方向に関して複数列並べて構成される。このような２次元状の受光帯配列を有するＸ線検出器３０７は、略円弧方向に１次元状に配列される複数の上記複数の受光帯をスライス方向に関して複数列並べて構成してもよい。
【００１７】
ＤＡＳ３０９は、Ｘ線検出器３０７の各チャンネルの電流信号を電圧に変換するＩＶ変換器と、この電圧信号をＸ線の曝射周期に同期して周期的に積分する積分器と、この積分器の出力信号を増幅するアンプと、このアンプの出力信号をディジタル信号変換するアナログ・ディジタル・コンバータとを、チャンネルごとに取り付けている。ＤＡＳ３０９は、出力したデータ（生データ）を、磁気送受信又は光送受信を用いた非接触データ伝送装置３１１を経由して、前処理回路５に伝送する。
【００１８】
前処理回路５は、非接触データ伝送装置３１１から出力された生データに対して前処理を施す。前処理には、例えば、生データに対する対数変換処理、チャンネル間の感度不均一補正処理、Ｘ線強吸収体、主に金属部による極端な信号強度の低下または、信号脱落を補正する処理等が含まれる。前処理回路５は、前処理を施した再構成処理直前のデータ（投影データ）を、データ収集したときにビュー角を表すデータと関連付けて、再構成回路７および記憶回路９へ伝送する。
【００１９】
なお、投影データとは、被検体を透過したＸ線の強度に応じたデータ値の集合である。ここでは説明の便宜上、ワンショットで略同時に収集したビュー角が同一である全チャンネルにわたる一揃いの投影データを、投影データセットと称する。また、ビュー角は、Ｘ線管３０５が回転軸を中心として周回する円軌道の各位置を、回転軸から鉛直上向きにおける円軌道の最上部を０°として３６０°の範囲の角度で表したものである。なお、投影データセットの各チャンネルに対する投影データは、ビュー角、コーン角、チャンネル番号によって識別される。
【００２０】
再構成回路７は、例えば、前処理回路５から伝送された、ビュー角が３６０°または１８０°＋ファン角の範囲内の投影データセットに基づいて、フェルドカンプ法またはコーンビーム再構成法により、略円柱形のボリュームデータを再構成するものであり、例えばメモリと所定のプロセッサによって実現される。また、再構成回路７は、例えば、ファンビーム再構成法（ファンビーム・コンボリューション・バックプロジェクション法ともいう）、ＦＢＰ（Filtered Back Projection）法または逐次近似再構成法等により、上記投影データセットから２次元ＣＴ画像（断層画像、以降、単にＣＴ画像と記載）を再構成するものであり、例えばメモリと所定のプロセッサによって実現される。フェルドカンプ法は、コーンビームのように再構成面に対して投影レイが交差する場合の再構成法であり、コーン角が小さいことを前提として畳み込みの際にはファン投影ビームとみなして処理し、逆投影はスキャンの際のレイに沿って処理する近似的画像再構成法である。コーンビーム再構成法は、フェルドカンプ法よりもコーン角のエラーが抑えられる方法として、再構成面に対するレイの角度に応じて投影データを補正する再構成法である。再構成回路７は、再構成されたボリュームデータを記憶回路９へ伝送する。再構成回路７は、再構成されたＣＴ画像を記憶回路９と処理回路１５とへ伝送する。
【００２１】
ここで、再構成回路７は、ＤＩＣＯＭ（Digital Imaging Communication in Medicine）規格に準拠したＣＴ画像を再構成する。すなわち、ＣＴ画像には、画像情報の他に、ＣＴ画像に関連付けられた付帯情報が付帯される。付帯情報は、対応する画像の特性や属性（データ形式、シリーズＩＤ、シリーズに付与されたコメント、フレーム（医用画像）番号等）、撮影に関する情報（管電圧、管電流、造影無／有、スキャン名、再構成条件（スキャン条件）等）、当該画像を用いた検査（診断）に関する検査情報（スタディＩＤ、検査日時、検査部位、検査装置名、検査担当名、位相（心時相）、オーダ条件等）、患者情報（患者ＩＤ、患者名、患者の生年月日、患者の性別、患者の体重、患者の所定の位置を原点とした患者座標等）等のうちの少なくとも１つを含む。
【００２２】
なお、再構成回路７は、高電圧および低電圧の両投影画像から、原子の分布に関連したＸ線管電圧依存情報の二次元分布断層像、いわゆるデュアルエネルギー撮影の断層像を画像再構成するデュアルエネルギー画像再構成回路を含む。
【００２３】
記憶回路９は、比較的大容量のデータを記憶可能なＨＤＤ（Hard Disk Drive）およびＳＳＤ（Solid State Drive）等である。記憶回路９は、再構成回路７により再構成されたＣＴ画像と、当該ＣＴ画像に関連付けられた付帯情報とを記憶する。また、記憶回路９は、当該ＣＴ画像に関連付けられた付帯情報から、転送の優先度（転送順序）を判定するために必要な情報（判定条件）を予め記憶する。ここで、判定条件とは、優先度の判定に用いる項目（パラメータ）のことである。第１実施形態に係る医用画像診断装置１は、当該判定条件と、複数の医用画像それぞれに関連付けられた付帯情報とを照合させて、複数の医用画像それぞれに対する転送順序を設定する。
【００２４】
図２Ａおよび図２Ｂは、記憶回路９に記憶される、優先度の判定に用いる項目（パラメータ）リストの一例を示す図である。例えば、図２Ａに示すように、記憶回路９は、優先度の判定に用いる項目として、造影無／有、シリーズに付与されたコメント（シリーズコメント）、スキャン名、再構成条件（スキャン条件）、寝台位置、位相（心時相）等を記憶する。図２Ａに示す項目は、例えば、同一検査（シリーズ単位）における画像転送の優先度の判定に用いられる。また、図２Ｂに示すように、記憶回路９は、優先度の判定に用いる項目として、検査日、患者名、オーダ条件等を記憶する。図２Ｂに示す項目は、例えば、経過観察（スタディ単位）における画像転送の優先度の判定に用いられる。
【００２５】
記憶回路９は、前処理回路５から伝送された投影データおよび再構成回路７で再構成されたボリュームデータを記憶する。記憶回路９は、高電圧および低電圧それぞれをＸ線管３０５に印加するタイミングを制御する制御プログラムを記憶する。
【００２６】
なお、記憶回路９は、ＨＤＤ等の磁気ディスク以外にも、光磁気ディスクやＣＤ（Compact Disc）、ＤＶＤ（Digital Versatile Disc）等の光ディスクを利用してもよい。また、記憶回路９の保存領域は、医用画像診断装置１内にあってもよいし、上記ネットワークＮＷで接続された外部記憶装置内にあってもよい。
【００２７】
入力ＩＦ回路１１は、ユーザの操作に応じたコマンド等を入力するインターフェイスである。例えば、入力ＩＦ回路１１によりユーザの操作に応じたコマンド等を入力することで、ユーザにより転送の優先度（転送順序）を判定するために必要な情報（判定条件）が入力される。入力ＩＦ回路１１は、例えば、キーボード、マウス、タッチパネル、トラックボールおよび各種ボタン等を含む。
【００２８】
表示回路１３は、例えば、上記ＣＴ画像および上記３次元画像等を表示デバイスに表示する。表示デバイスとしては、ＣＲＴ（Cathode Ray Tube Display）、ＬＣＤ（Liquid Crystal Display）、ＯＥＬＤ（Organic Electro Luminescence Display）あるいはプラズマディスプレイが適宜利用可能である。
【００２９】
処理回路１５は、ハードウェア構成として、ＣＰＵ（Central Processing Unit）やＭＰＵ（Micro Processing Unit）等の所定のプロセッサと、ＲＯＭ（Read-Only Memory）やＲＡＭ（Random Access Memory）等の所定のメモリとを有する。処理回路１５のメモリは、判定プログラムを記憶する。処理回路１５は、所定のメモリに記憶された判定プログラムを読み出して実行することで、判定機能１５１を実現する。判定機能１５１の実現により、処理回路１５は、記憶回路９に記憶された、または入力ＩＦ回路１１を介して入力された判定条件を満たす医用画像が記憶回路９に存在するか判定する。
【００３０】
処理回路１５のメモリは、設定プログラムを記憶する。処理回路１５は、所定のメモリに記憶された設定プログラムを読み出して実行することで、設定機能１５２を実現する。設定機能１５２の実現により、処理回路１５は、当該判定条件を満たす医用画像が記憶回路９に存在すると判定された場合、医用画像に関連付けられた付帯情報と、当該判定条件とを照合して、判定条件と合致した付帯情報に関連付けられた複数の医用画像データに関する転送順序を設定する。例えば、処理回路１５は、判定条件と合致した付帯情報に関連付けられた複数の医用画像データそれぞれに対して転送の優先度を判定し、優先度に応じた複数の医用画像データそれぞれの転送順序を設定する。処理回路１５は、複数のシリーズに亘る複数の医用画像データそれぞれに対して転送の優先度を判定し、優先度に基づいて複数の医用画像データそれぞれの転送順序を設定する。例えば、処理回路１５は、転送の優先度をボリューム単位で判定し、転送順序をボリューム単位で設定する。また、処理回路１５は、転送の優先度をフレーム単位で判定し、転送順序をフレーム単位で設定する。
【００３１】
具体的には、処理回路１５は、合致した付帯情報に関連付けられた複数の医用画像のうち、異なるシリーズかつ異なる医用画像間において、交互に複数のフレーム画像を転送するよう転送順序を設定する。また、処理回路１５は、合致した付帯情報に関連付けられた複数の医用画像のうち、同一シリーズかつ異なる医用画像間において、フレーム画像単位で交互に複数のフレーム画像を転送するよう転送順序を設定する。
【００３２】
転送回路１７は、当該判定条件を満たす医用画像が記憶回路９に存在すると判定された場合、処理回路１５により設定された転送順序に従って、ＷＳ５００とＰＡＣＳ７００とのうち少なくとも１つへ複数の医用画像を転送する。転送回路１７は、通信ＩＦ回路１９を介して当該複数の医用画像を転送する。転送回路１７は、当該判定条件を満たさない医用画像が記憶回路９に存在すると判定された場合、当該医用画像を通常の転送方法で転送する。
【００３３】
具体的には、転送回路１７は、複数の医用画像に関する外部装置への転送依頼を格納する格納回路１７１を有する。転送回路１７は、格納回路１７１に格納された転送依頼に対応する医用画像に関連付けられた付帯情報が所定の判定条件と合致する場合、格納回路１７１に格納された転送依頼を受けた順序に対応する転送順序を変更して複数の医用画像を転送する。また、転送回路１７は、格納回路１７１に格納された転送依頼に対応する画像に関連付けられた付帯情報が所定の判定条件と合致しない場合、所定の転送順序として、格納回路１７１に格納された転送依頼を受けた順序に対応する転送順序で複数の医用画像を転送する。
【００３４】
ここで、上記医用画像診断装置は、医用画像の格納順番および医用画像リストの表示順番等に基づいて、医用画像解析装置へ医用画像を転送する転送順番を設定する。医用画像診断装置は、設定した転送順序に従って、医用画像解析装置へ医用画像を転送する。すべての画像転送が完了した後、医用画像解析装置は、臨床アプリケーションでの解析を開始する。
【００３５】
通信ＩＦ回路１９は、有線あるいは無線にて外部装置と通信する。外部装置は、例えば、他のモダリティ、ＲＩＳ（Radiological Information System）、ＨＩＳ（Hospital Information System）およびＰＡＣＳ等のシステムに含まれるサーバ、あるいは他のワークステーション等である。第１実施形態において、通信ＩＦ回路１９は、ＷＳ５００およびＰＡＣＳ７００と通信する。
【００３６】
システム制御回路２１は、ハードウェア構成として、ＣＰＵやＭＰＵ等の所定のプロセッサと、ＲＯＭやＲＡＭ等の所定のメモリとを有する。システム制御回路２１のメモリは、制御プログラムを記憶する。システム制御回路２１は、所定のメモリに記憶された制御プログラムを読み出して実行することで、ガントリ３の内部構成における複数のユニット各々と、前処理回路５と、再構成回路７と、記憶回路９と、入力ＩＦ回路１１と、表示回路１３と、処理回路１５と、転送回路１７と、通信ＩＦ回路１９との動作および処理等を制御する。例えば、システム制御回路２１は、所定のスキャンシーケンスに従って撮影を行うように、スリップリング３０１から管電圧発生装置３０３への電力供給を制御する。具体的には、システム制御回路２１は、Ｘ線管３０５の管電圧を高電圧（例えば、１４０ｋＶ）と低電圧（例えば、８０ｋＶ）との間を周期的に変化させるように、管電圧発生装置３０３を制御する。なお、高電圧および低電圧を高エネルギー・レベルおよび低エネルギー・レベルと呼称する場合がある。
【００３７】
また、システム制御回路２１は、回転駆動装置３１５を制御することで、回転リング３１３を０．４秒／回転等の高速で回転させる。システム制御回路２１は、天板駆動装置（図示省略）を制御することで天板Ｔを移動させる。天板Ｔの移動により天板Ｔに載置された被検体Ｐが回転軸に沿って移動される。
【００３８】
ここで、第１実施形態に係る医用画像診断装置１による医用画像の転送について、具体例を挙げて説明する。
【００３９】
（実施例１）  
図３は、実施例１における医用画像診断装置１が所定のスタディ（例えば、ＥＣＧ（Electrocardiogram）同期による、造影剤を用いた心臓検査）を実行し、その結果当該スタディにおいて得られた複数のシリーズに亘るデータを転送するまでの流れを示したフローチャートである。以下、図３に従って、医用画像診断装置１が実行する転送処理について説明する。ここで、実施例１では、一例として、医用画像診断装置１からＷＳ５００へ画像を転送する場合について記載する。以降の実施例および実施形態についても同様である。実施例１に係る医用画像診断装置１は、ボリューム単位での転送順序を、複数のシリーズに亘って設定することができるものである。一例として、造影無し画像と造影有り画像とによるサブトラクション処理のための優先転送（ボリューム単位）を想定して記載する。
【００４０】
図３に示すように、ステップＳａ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って、造影前のＥＣＧ同期による撮影、および造影後のＥＣＧ同期による撮影を所定範囲（例えば、寝台位置０−３００ｍｍ）について実行する。その結果、例えば、造影前撮影としてのシリーズ１に属する（生データとしての）ボリューム１、２、３と、造影後撮影としてのシリーズ２に属する（生データとしての）ボリューム４、５、６とが取得される。
【００４１】
ステップＳａ２において、再構成回路７は、取得された各ボリュームと設定された再構成パラメータとを用いて画像再構成処理を実行し、造影無の撮影によるシリーズ１に属するボリューム１、２，３と、造影有の撮影によるシリーズ２に属するボリューム４、５、６とを生成する。ステップＳａ３において、生成されたシリーズ毎の各ボリュームは、「ボリューム識別番号、造影無／有、寝台位置（撮影範囲）、ＥＣＧ波形における心時相」等を含む付帯情報が付帯され、記憶回路９に逐次記憶される。
【００４２】
図４は、ステップＳａ１〜Ｓａ３の画像取得処理によって取得され、記憶回路９に記憶された画像データのデータ構造の模式図である。図４に示す例では、シリーズ１中に、同一の寝台位置（撮影範囲）かつ複数の位相（心時相）で取得された複数のボリュームが記憶される。また、シリーズ２中に、同一の寝台位置（撮影範囲）かつ複数の位相（心時相）で取得された複数のボリュームが記憶される。結果、シリーズ１、２においては、同一断面について複数のフレームの画像が記憶される（マルチフレーム形式）。
【００４３】
図４ではボリューム１、２…とラベリングされている。例えば、シリーズ１（造影無、すなわち造影剤の投与前）に属するボリューム１には、「造影無、寝台位置０−３００ｍｍ、位相ａ」等を含む付帯情報が付帯される。シリーズ１に属するボリューム２には、「造影無、寝台位置０−３００ｍｍ、位相ｂ」等を含む付帯情報が付帯される。シリーズ１に属するボリューム３には、「造影無、寝台位置０−３００ｍｍ、位相ｃ」等を含む付帯情報が付帯される。シリーズ２（造影有、すなわち造影剤の投与後）に属するボリューム４には、「造影有、寝台位置０−３００ｍｍ、位相ａ」等を含む付帯情報が付帯される。シリーズ２に属するボリューム５には、「造影有、寝台位置０−３００ｍｍ、位相ｂ」等を含む付帯情報が付帯される。シリーズ２に属するボリューム６には、「造影有、寝台位置０−３００ｍｍ、位相ｃ」等を含む付帯情報が付帯される。なお、シリーズ３は、例えば、セカンダリ、すなわちスクリーンキャプチャ画像等である。
【００４４】
図３に示すように、ステップＳａ４において、入力ＩＦ回路１１にて、転送の優先度（転送順序）を設定するために必要な判定条件がユーザにより入力される。例えば、判定条件として「造影検査、同一寝台位置（同一撮影範囲）、同一位相」が入力ＩＦ回路１１を介して入力される。あるいは、「サブトラクション処理のための優先転送（ボリューム単位）」として、プリセットされた条件を選択するようにしてもよい。ステップＳａ５において、入力ＩＦ回路１１にて、ユーザにより処理開始ボタンが押下される。ステップＳａ６において、当該処理開始ボタンの押下を契機として、入力された判定条件が確定される。また、ステップＳａ７当該処理開始ボタンの押下を契機として、入力ＩＦ回路１１から処理回路１５へ処理開始指示が出力される。
【００４５】
処理開始ボタンが押下された後、ステップＳａ８において、処理回路１５は、当該判定条件を満たす医用画像が記憶回路９に存在するか判定する。ステップＳａ９において、処理回路１５は、当該判定条件を満たす医用画像が記憶回路９に存在すると判定した場合（ステップＳａ８のＹｅｓ）、確定された判定条件と、複数のボリュームそれぞれに関連付けられた付帯情報とを照合する。処理回路１５は、照合の結果に基づいて、当該スタディにおいて取得された各シリーズに属する複数のボリュームそれぞれに対して転送の優先度を設定する。
【００４６】
すなわち、図５に示すように、処理回路１５は、例えば、判定条件として「造影検査、同一寝台位置（同一撮影範囲）、同一位相」が確定された場合、当該判定条件を満たす付帯情報に対応するボリュームがあるか絞り込む。具体的には、ステップＳＴ１−１において、「判定条件：造影無」で、「付帯情報：造影剤投与前」が関連付けられた医用画像を絞り込む。さらに、ステップＳＴ１−２において、「判定条件：寝台位置０−３００ｍｍ」で、「付帯情報：寝台位置０−３００ｍｍ」が関連付けられた医用画像を絞り込む。さらに、ステップＳＴ１−３において、「判定条件：位相ａ」で、「付帯情報：位相ａ」が関連付けられた医用画像を絞り込む。これにより、ステップＳＴ１−４において、当該判定条件を満たす転送対象として、シリーズ１に属するボリューム１を特定し、当該ボリューム１の転送順序を１として設定する。
【００４７】
また、ステップＳＴ１−５において、「判定条件：造影有」で、「付帯情報：造影剤投与後」が関連付けられた医用画像を絞り込む。さらに、ステップＳＴ１−６において、「判定条件：寝台位置０−３００ｍｍ」で、「付帯情報：寝台位置０−３００ｍｍ」が関連付けられた医用画像を絞り込む。さらに、ステップＳＴ１−７において、「判定条件：位相ａ」で、「付帯情報：位相ａ」が関連付けられた医用画像を絞り込む。これにより、ステップＳＴ１−８において、当該判定条件を満たす転送対象として、シリーズ２に属するボリューム４を特定し、当該ボリューム４の転送順序を２として設定する。
【００４８】
図５に示した同様の処理が繰り返し実行され、造影前のシリーズにおいて「造影無、寝台位置０−３００ｍｍ、心時相ｂ」の条件に該当する付帯情報を有するボリューム２を転送順序３とし、造影後のシリーズにおいて「造影有、寝台位置０−３００ｍｍ、心時相ｂ」の条件に該当する付帯情報を有するボリューム５を転送順序４とする。また、造影前のシリーズにおいて「造影無、寝台位置０−３００ｍｍ、心時相ｃ」の条件に該当する付帯情報を有するボリューム３を転送順序５とし、造影後のシリーズにおいて「造影有、寝台位置０−３００ｍｍ、心時相ｃ」の条件に該当する付帯情報を有するボリューム６を転送順序６とする。これにより、図６に示す転送順序と転送するボリュームとを関連付けた転送テーブルが生成される。
【００４９】
ここで、図６に示す転送順序は一例であり、これに限定されない。例えば、転送順序を「ボリューム４→ボリューム１…」としてもよい。また、「付帯情報：位相ｂ」が付帯された医用画像を優先的に転送したい場合、転送順序を「ボリューム２→ボリューム５…」、または「ボリューム５→ボリューム２…」としてもよい。また、「付帯情報：位相ｃ」が付帯された医用画像を優先的に転送したい場合、転送順序を「ボリューム３→ボリューム６…」、または「ボリューム６→ボリューム３…」としてもよい。
【００５０】
ステップＳａ１１において、処理回路１５は、転送回路１７へ転送テーブルを出力する。ステップＳａ１２において、転送回路１７は、受信した転送テーブルに従い、転送の優先度の高いボリュームを記憶回路９から順に読み出す。記憶回路９は、転送回路１７からの画像読み出しに応じて、転送回路１７へ対応する複数のボリュームを出力する。ステップＳａ１３において、転送回路１７は、転送テーブルに従って読み出したボリュームを、例えば、ＷＳ５００へ転送する。
【００５１】
ここで、ステップＳａ８において、処理回路１５により当該判定条件を満たさない医用画像が記憶回路９に存在すると判定された場合（ステップＳａ８のＮｏ）、ステップＳａ１０において、当該判定条件を満たさない医用画像を通常の転送方法で転送する（通常転送）。具体的には、当該判定条件を満たさない医用画像が記憶回路９に存在すると判定した場合、処理回路１５は、当該医用画像を転送するよう、転送回路１７へ転送指示を出力する。転送回路１７は、当該転送指示の受信を契機として、記憶回路９に記憶された時期が早い順等、所定の条件に基づいて記憶回路９から読み出す。記憶回路９は、転送回路１７からの画像読み出しに応じて、転送回路１７へ判定条件を満たさない医用画像を出力する。転送回路１７は、例えば、読み出した医用画像をＷＳ５００へ転送する。
【００５２】
なお、転送回路１７は、操作者等により入力される任意の順序で、当該判定条件を満たさない医用画像を転送してもよい。また、通常の転送方法で転送する医用画像は、ボリューム単位で読み出しおよび転送を行ってもよいし、当該ボリュームに含まれるフレーム単位で読み出しおよび転送を行ってもよい。
【００５３】
また、優先度の高い医用画像の転送後（ステップＳａ１３後）、当該判定条件を満たさない医用画像が記憶回路９に存在する場合、残りの医用画像を通常の転送方法で転送してもよい。以降の実施例および実施形態についても同様である。
【００５４】
以上に述べた構成によれば、以下の効果を得ることができる。
【００５５】
実施例１に係る医用画像診断装置１は、記憶回路９と、処理回路１５と、転送回路１７とを備える。記憶回路９は、造影無の撮影によるシリーズ１に属するボリューム１、２、３と、造影有の撮影によるシリーズ２に属するボリューム４、５、６と、各ボリュームに関連付けられる複数の付帯情報とを記憶する。処理回路１５は、複数の付帯情報それぞれと、入力ＩＦ回路１１を介して入力された所定の判定条件とを照合して、各ボリュームそれぞれに対して転送の優先度を判定し、判定した優先度に基づいて各ボリュームそれぞれの転送順序を設定する。例えば、処理回路１５は、ＷＳ５００にてサブトラクション処理を実行するボリュームが優先的に転送されるよう（すなわち、異なるシリーズに亘って、造影前後、同一寝台位置、同一心時相のボリュームが優先的に転送されるよう）、転送順序を設定する。転送回路１７は、当該転送順序に従って、ＷＳ５００へ複数のボリュームを転送する。これにより、サブトラクション処理に必要なボリュームを優先的に転送することが可能になる。その結果、実施例１に係る医用画像診断装置１は、従来より画像転送から診断まで時間を短縮することができる。
【００５６】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【００５７】
（実施例２）  
図７は、実施例２に係る医用画像診断装置１が所定のスタディ（例えば、造影剤を用いた循環器系の検査）を実行し、その結果当該スタディにおいて得られた複数のシリーズに亘るデータを転送するまでの流れを示したフローチャートである。以下、図７に従って、医用画像診断装置１が実行する転送処理について説明する。実施例２に係る医用画像診断装置１は、ボリュームに含まれるフレーム単位での転送順序を、複数のシリーズに亘って設定することができるものである。一例として、サブトラクション処理のための優先転送（フレーム単位）を想定して記載する。なお、上記実施例と重複する点については、詳しい説明を省略し、必要に応じて適宜記載する。
【００５８】
図７に示すように、ステップＳｂ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って撮影を所定範囲（例えば、寝台位置０−３００ｍｍ）について実行する。その結果、例えば、造影前撮影としてのシリーズ１に属する（生データとしての）ボリューム１と、造影後撮影としてのシリーズ２に属する（生データとしての）ボリューム２、３、４とが取得される。なお、各ボリュームは、フレーム単位での複数の二次元データから構成されるものとする。
【００５９】
ステップＳｂ２において、再構成回路７は、取得された各ボリュームと設定された再構成パラメータとを用いて画像再構成処理を実行し、造影無の撮影によるシリーズ１に属するボリューム１と、造影有の撮影によるシリーズ２に属するボリューム２、３、４とを生成する。ステップＳｂ３において、生成されたシリーズ毎の各ボリュームは、「ボリューム識別番号、フレーム識別番号、造影無／有、寝台位置（撮影範囲）」等を含む付帯情報が付帯され、記憶回路９に逐次記憶される。
【００６０】
図８は、ステップＳｂ１〜Ｓｂ３の画像取得処理によって取得され、記憶回路９に記憶された画像データのデータ構造の模式図である。図８に示す例では、シリーズ１中に、１つのボリュームが記憶される。結果、シリーズ１においては、１つの断面について１つのフレームの画像が記憶される（シングルフレーム形式）。また、シリーズ２中に、同一の寝台位置（撮影範囲）で取得された複数のボリュームが記憶される。結果、シリーズ２においては、同一断面について複数のフレームの画像が記憶される（マルチフレーム形式）。
【００６１】
図８ではボリューム１、２…とラベリングされている。シリーズ１（造影無）に属するボリューム１には、例えば、「造影無、寝台位置０−３００ｍｍ」等を含む付帯情報が付帯される。シリーズ２（造影有）に属するボリューム２、３、４には、「造影有、寝台位置０−３００ｍｍ」等を含む付帯情報が付帯される。
【００６２】
図７に示すように、ステップＳｂ４において、入力ＩＦ回路１１にて、転送の優先度（転送順序）を設定するために必要な判定条件がユーザにより入力される。例えば、判定条件として「造影検査、同一寝台位置（同一撮影範囲）、同一断面」が入力ＩＦ回路１１を介して入力される。あるいは、「サブトラクション処理のための優先転送（フレーム単位）」として、プリセットされた条件を選択するようにしてもよい。ステップＳｂ５において、入力ＩＦ回路１１にて、ユーザにより処理開始ボタンが押下される。ステップＳｂ６において、当該処理開始ボタンの押下を契機として、入力された判定条件が確定される。また、ステップＳｂ７において、当該処理開始ボタンの押下を契機として、入力ＩＦ回路１１から処理回路１５へ処理開始指示が出力される。
【００６３】
ステップＳｂ８において、処理開始ボタンが押下された後、処理回路１５は、確定された判定条件と、複数のボリュームそれぞれに関連付けられた付帯情報とを照合する。処理回路１５は、照合の結果に基づいて、当該スタディにおいて取得された各シリーズに属する複数のフレームそれぞれに対して転送の優先度を設定する。
【００６４】
すなわち、図９に示すように、処理回路１５は、例えば、判定条件として「造影検査、同一寝台位置（同一撮影範囲）、同一断面」が確定された場合、当該判定条件を満たす付帯情報に対応するボリュームがあるか絞り込む。具体的には、ステップＳＴ２−１において、「判定条件：造影無」で、「付帯情報：造影剤投与前」が関連付けられた医用画像を絞り込む。さらに、ステップＳＴ２−２において、「判定条件：寝台位置０−３００ｍｍ」で、「付帯情報：寝台位置０−３００ｍｍ」が関連付けられた医用画像を絞り込む。さらに、ステップＳＴ２−３において、「判定条件：フレーム識別番号１」で、「付帯情報：フレーム１」が関連付けられた医用画像を絞り込む。これにより、ステップＳＴ２−４において、当該判定条件を満たす転送対象として、シリーズ１に属するボリューム１のフレーム１を特定し、当該ボリューム１のフレーム１の転送順序を１として設定する。
【００６５】
また、ステップＳＴ２−５において、「判定条件：造影有」で、「付帯情報：造影剤投与後」が関連付けられた医用画像を絞り込む。さらに、ステップＳＴ２−６において、「判定条件：寝台位置０−３００ｍｍ」で、「付帯情報：寝台位置０−３００ｍｍ」が関連付けられた医用画像を絞り込む。さらに、ステップＳＴ２−７において、「判定条件：フレーム識別番号１」で、「付帯情報：フレーム１」が関連付けられた医用画像を絞り込む。これにより、ステップＳＴ２−８において、当該判定条件を満たす転送対象として、シリーズ２に属するボリューム２のフレーム１を特定し、当該ボリューム２のフレーム１の転送順序を２として設定する。図９に示した同様の処理が繰り返し実行される。すなわち、サブトラクション処理を実行可能な、同一寝台位置かつ同一断面の医用画像データを優先的に転送するよう、転送順序を設定する。これにより、図１０に示す転送順序と転送するフレームとを関連付けた転送テーブルが生成される。
【００６６】
ここで、図１０に示す転送順序は一例であり、これに限定されない。例えば、「ボリューム２のフレーム１→ボリューム１のフレーム１…」や「ボリューム１のフレーム２→ボリューム２のフレーム２…」等、必要に応じて転送順序を変更してもよい。
【００６７】
以上に述べた構成によれば、以下の効果を得ることができる。
【００６８】
実施例２に係る医用画像診断装置１は、記憶回路９と、処理回路１５と、転送回路１７とを備える。記憶回路９は、造影無の撮影によるシリーズ１に属するボリューム１と、造影有の撮影によるシリーズ２に属するボリューム２、３、４と、各ボリュームに関連付けられる複数の付帯情報とを記憶する。処理回路１５は、複数の付帯情報それぞれと、入力ＩＦ回路１１を介して入力された所定の判定条件とを照合して、各ボリュームに含まれる複数のフレームそれぞれに対して転送の優先度を判定し、判定した優先度に基づいて複数のフレームそれぞれの転送順序を設定する。例えば、処理回路１５は、ＷＳ５００にてサブトラクション処理を実行するフレームが優先的に転送されるよう（すなわち、異なるシリーズに亘って、造影前後、同一寝台位置、同一断面のフレームが優先的に転送されるよう）、転送順序を設定する。転送回路１７は、当該転送順序に従って、ＷＳ５００へ複数のフレームを転送する。これにより、サブトラクション処理に必要なフレームを優先的に転送することが可能になる。その結果、実施例２に係る医用画像診断装置１は、フレーム単位で転送するため、ボリューム単位で転送するよりサブトラクション処理を実行するまでの時間を短縮することができる。また、途中で画像転送が中断した場合であっても、受信したところまでの医用画像で処理（表示）を実行することができる。
【００６９】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【００７０】
（実施例３）  
図１１は、実施例３に係る医用画像診断装置１が所定のスタディ（例えば、造影剤を用いた循環器系の検査）を実行し、その結果当該スタディにおいて得られた複数のシリーズに亘るデータを転送するまでの流れを示したフローチャートである。以下、図１１に従って、医用画像診断装置１が実行する転送処理について説明する。実施例３に係る医用画像診断装置１は、ボリューム単位での転送順序を、複数のシリーズに亘って設定することができるものである。一例として、サブトラクション処理のための優先転送（ボリューム単位）を想定して記載する。なお、上記実施例と重複する点については、詳しい説明を省略し、必要に応じて適宜記載する。
【００７１】
図１１に示すように、ステップＳｃ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って撮影を所定範囲（例えば、寝台位置０−３００ｍｍ、３００−６００ｍｍ、６００−９００ｍｍ）について実行する。その結果、例えば、造影前撮影としてのシリーズ１に属する（raw dataとしての）ボリューム１、２、３と、造影後撮影としてのシリーズ２に属する（raw dataとしての）ボリューム４、５、６、７，８とが取得される。
【００７２】
ステップＳｃ２において、再構成回路７は、取得された各ボリュームと設定された再構成パラメータとを用いて画像再構成処理を実行し、造影無の撮影によるシリーズ１に属するボリューム１、２、３と、造影有の撮影によるシリーズ２に属するボリューム４、５、６、７，８とを生成する。ステップＳｃ３において、生成されたシリーズ毎の各ボリュームは、「ボリューム識別番号、造影無／有、寝台位置（撮影範囲）」等を含む付帯情報が付帯され、記憶回路９に逐次記憶される。
【００７３】
図１２は、ステップＳｃ１〜Ｓｃ３の画像取得処理によって取得され、記憶回路９に記憶された画像データのデータ構造の模式図である。図１２に示す例では、シリーズ１中に、寝台位置の異なる３つのボリュームが記憶される。また、シリーズ２中に、同一の寝台位置（撮影範囲）で取得された複数のボリュームと、寝台位置の異なる２つのボリュームが記憶される。
【００７４】
図１２ではボリューム１、２…とラベリングされている。例えば、シリーズ１（造影無）に属するボリューム１には、「造影無、寝台位置０−３００ｍｍ」等を含む付帯情報が付帯される。シリーズ１に属するボリューム２には、例えば、「造影無、寝台位置３００−６００ｍｍ」等を含む付帯情報が付帯される。シリーズ１に属するボリューム３には、例えば、「造影無、寝台位置６００−９００ｍｍ」等を含む付帯情報が付帯される。シリーズ２（造影有）に属するボリューム４、５、６には、「造影有、寝台位置０−３００ｍｍ」等を含む付帯情報が付帯される。シリーズ２に属するボリューム７には、「造影有、寝台位置３００−６００ｍｍ」等を含む付帯情報が付帯される。シリーズ２に属するボリューム８には、「造影有、寝台位置６００−９００ｍｍ」等を含む付帯情報が付帯される。
【００７５】
図１１に示すように、ステップＳｃ４において、入力ＩＦ回路１１にて、転送の優先度（転送順序）を設定するために必要な判定条件がユーザにより入力される（。例えば、判定条件として「造影検査、同一寝台位置（同一撮影範囲）」が入力ＩＦ回路１１を介して入力される。あるいは、「サブトラクション処理のための優先転送（ボリューム単位）」として、プリセットされた条件を選択するようにしてもよい。ステップＳｃ５において、入力ＩＦ回路１１にて、ユーザにより処理開始ボタンが押下される。ステップＳｃ６において、当該処理開始ボタンの押下を契機として、入力された判定条件が確定される。また、ステップＳｃ７において、当該処理開始ボタンの押下を契機として、入力ＩＦ回路１１から処理回路１５へ処理開始指示が出力される。
【００７６】
処理開始ボタンが押下された後、ステップＳｃ８において、処理回路１５は、確定された判定条件と、複数のボリュームそれぞれに関連付けられた付帯情報とを照合する。処理回路１５は、照合の結果に基づいて、当該スタディにおいて取得された各シリーズに属する複数のボリュームそれぞれに対して、転送の優先度を設定する。
【００７７】
すなわち、図１３に示すように、処理回路１５は、例えば、判定条件として「造影検査、同一寝台位置（同一撮影範囲）」が確定された場合、当該判定条件を満たす付帯情報に対応するボリュームがあるか絞り込む。具体的には、ステップＳＴ３−１において、「判定条件：造影無」で、「付帯情報：造影剤投与前」が関連付けられた医用画像を絞り込む。さらに、ステップＳＴ３−２において、「判定条件：寝台位置０−３００ｍｍ」で、「付帯情報：寝台位置０−３００ｍｍ」が関連付けられた医用画像を絞り込む。これにより、当該判定条件を満たす転送対象として、ステップＳＴ３−３において、シリーズ１に属するボリューム１を特定し、当該ボリューム１の転送順序を１として設定する。
【００７８】
また、ステップＳＴ３−４において、「判定条件：造影有」で、「付帯情報：造影剤投与後」が関連付けられた医用画像を絞り込む。さらに、ステップＳＴ３−５において、「判定条件：寝台位置０−３００ｍｍ」で、「付帯情報：寝台位置０−３００ｍｍ」が関連付けられた医用画像を絞り込む。これにより、ステップＳＴ３−６において、当該判定条件を満たす転送対象として、シリーズ２に属するボリューム４、５、６を特定し、例えば、当該ボリューム４の転送順序を２として設定する。また、当該ボリューム５の転送順序を３として設定する。また、当該ボリューム６の転送順序を４として設定する。これにより、図１４に示す転送順序と転送するボリュームとを関連付けた転送テーブルが生成される。
【００７９】
ここで、図１４に示す転送順序は一例であり、これに限定されない。例えば、「ボリューム４→ボリューム１…」や「ボリューム５→ボリューム１…」等、必要に応じて転送順序を変更してもよい。
【００８０】
以上に述べた構成によれば、以下の効果を得ることができる。
【００８１】
実施例３に係る医用画像診断装置１は、記憶回路９と、処理回路１５と、転送回路１７とを備える。記憶回路９は、造影無の撮影によるシリーズ１に属するボリューム１、２、３と、造影有の撮影によるシリーズ２に属するボリューム４、５、６、７、８と、各ボリュームに関連付けられる複数の付帯情報とを記憶する。処理回路１５は、複数の付帯情報それぞれと、入力ＩＦ回路１１を介して入力された所定の判定条件とを照合して、当該判定条件を満たすボリュームを特定し、特定したボリュームそれぞれに対して転送の優先度を設定する。例えば、処理回路１５は、ＷＳ５００にてサブトラクション処理を実行するボリュームが優先的に転送されるよう（すなわち、異なるシリーズに亘って、造影前後、同一寝台位置のボリュームが優先的に転送されるよう）、転送順序を設定する。転送回路１７は、当該転送順序に従って、ＷＳ５００へ複数のボリュームを転送する。これにより、サブトラクション処理に必要なボリュームを優先的に転送することができる。その結果、実施例３に係る医用画像診断装置１は、同一シリーズ内に寝台位置（撮影範囲）が異なる複数のボリュームを有していても、従来より画像転送から診断まで時間を短縮することができる。
【００８２】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【００８３】
（実施例４）  
図１５は、実施例４に係る医用画像診断装置１が所定のスタディ（例えば、造影剤を用いた循環器系の検査）を実行し、その結果当該スタディにおいて得られた複数シリーズに亘るデータを転送するまでの流れを示したフローチャートである。以下、図１５に従って、医用画像診断装置１が実行する転送処理について説明する。実施例４に係る医用画像診断装置１は、フレーム単位での転送順序を、複数のシリーズに亘って設定することができるものである。一例として、サブトラクション処理のための優先転送（フレーム単位）を想定して記載する。なお、上記実施例と重複する点については、詳しい説明を省略し、必要に応じて適宜記載する。
【００８４】
図１５に示すように、ステップＳｄ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って撮影を所定範囲（例えば、寝台位置−１０、０、１０、２０、３０ｍｍ）について実行する。その結果、例えば、造影前撮影としてのシリーズ１に属する（生データとしての）フレーム１、２、３と、造影後撮影としてのシリーズ２に属する（生データとしての）フレーム４、５、６、７、８とが取得される。
【００８５】
ステップＳｄ２において、再構成回路７は、取得された各ボリュームと設定された再構成パラメータとを用いて画像再構成処理を実行し、造影無の撮影によるシリーズ１に属するフレーム１、２、３と、造影有の撮影によるシリーズ２に属するフレーム４、５、６、７、８とを生成する。ステップＳｄ３において、生成されたシリーズ毎の各フレームは、「フレーム識別番号、造影無／有、寝台位置（撮影範囲）」等を含む付帯情報が付帯され、記憶回路９に逐次記憶される。
【００８６】
図１６は、ステップＳｄ１〜Ｓｄ３の画像取得処理によって取得され、記憶回路９に記憶された画像データのデータ構造の模式図である。図１６に示す例では、シリーズ１中に、寝台位置の異なる複数のフレームが記憶される。また、シリーズ２中に、シリーズ１と同様に、寝台位置の異なる複数のフレームが記憶される。
【００８７】
図１６ではフレーム１、２…とラベリングされている。例えば、シリーズ１（造影無）に属するフレーム１には、「造影無、寝台位置０ｍｍ」等を含む付帯情報が付帯される。シリーズ１に属するフレーム２には、「造影無、寝台位置１０ｍｍ」等を含む付帯情報が付帯される。シリーズ１に属するフレーム３には、「造影無、寝台位置２０ｍｍ」等を含む付帯情報が付帯される。シリーズ２（造影有）に属するフレーム４には、「造影有、寝台位置−１０ｍｍ」等を含む付帯情報が付帯される。シリーズ２に属するフレーム５には、「造影有、寝台位置０ｍｍ」等を含む付帯情報が付帯される。シリーズ２に属するフレーム６には、「造影有、寝台位置１０ｍｍ」等を含む付帯情報が付帯される。シリーズ２に属するフレーム７には、「造影有、寝台位置２０ｍｍ」等を含む付帯情報が付帯される。シリーズ２に属するフレーム８には、「造影有、寝台位置３０ｍｍ」等を含む付帯情報が付帯される。
【００８８】
図１５に示すように、ステップＳｄ４において、入力ＩＦ回路１１にて、転送の優先度（転送順序）を設定するために必要な判定条件がユーザにより入力される。例えば、判定条件として「造影検査、同一寝台位置、同一断面」が入力ＩＦ回路１１を介して入力される。あるいは、「サブトラクション処理のための優先転送（フレーム単位）」として、プリセットされた条件を選択するようにしてもよい。ステップＳｄ５において、入力ＩＦ回路１１にて、ユーザにより処理開始ボタンが押下される。ステップＳｄ６において、当該処理開始ボタンの押下を契機として、入力された判定条件が確定される。また、ステップＳｄ７において、当該処理開始ボタンの押下を契機として、入力ＩＦ回路１１から処理回路１５へ処理開始指示が出力される。
【００８９】
処理開始ボタンが押下された後、ステップＳｄ８において、処理回路１５は、確定された判定条件と、複数のフレームそれぞれに関連付けられた付帯情報とを照合する。処理回路１５は、照合の結果に基づいて、当該スタディにおいて取得された各シリーズに属する複数のフレームそれぞれに対して転送の優先度を設定する。
【００９０】
すなわち、図１７に示すように、処理回路１５は、例えば、判定条件として「造影検査、同一寝台位置、同一断面」が確定された場合、当該判定条件を満たす付帯情報に対応するフレームがあるか絞り込む。具体的には、ステップＳＴ４−１において、「判定条件：造影無」で、「付帯情報：造影剤投与前」が関連付けられた医用画像を絞り込む。さらに、ステップＳＴ４−２において、「判定条件：寝台位置０ｍｍ」で、「付帯情報：寝台位置０ｍｍ」が関連付けられた医用画像を絞り込む。これにより、ステップＳＴ４−３において、当該判定条件を満たすシリーズ１に属するフレーム１を特定し、当該フレーム１の転送順序を１として設定する。
【００９１】
また、ステップＳＴ４−４において、「判定条件：造影有」で、「付帯情報：造影剤投与後」が関連付けられた医用画像を絞り込む。さらに、ステップＳＴ４−５において、「判定条件：寝台位置０ｍｍ」で、「付帯情報：寝台位置０ｍｍ」が関連付けられた医用画像を絞り込む。これにより、ステップＳＴ４−６において、当該判定条件を満たすシリーズ２に属するフレーム５を特定し、当該フレーム５の転送順序を２として設定する。図１７に示した同様の処理が繰り返し実行され、造影前のシリーズにおいて「造影無、寝台位置１０ｍｍ」の条件に該当する付帯情報を有するフレーム２を転送順序３とし、造影後のシリーズにおいて「造影有、寝台位置１０ｍｍ」の条件に該当する付帯情報を有するフレーム６を転送順序４とする。また、造影前のシリーズにおいて「造影無、寝台位置２０ｍｍ」の条件に該当する付帯情報を有するフレーム３を転送順序５とし、造影後のシリーズにおいて「造影有、寝台位置２０ｍｍ」の条件に該当する付帯情報を有するフレーム７を転送順序６とする。これにより、図１８に示す転送順序と転送するフレームとを関連付けた転送テーブルが生成される。
【００９２】
ここで、図１８に示す転送順序は一例であり、これに限定されない。例えば、「フレーム２→フレーム６…」や「フレーム３→フレーム７…」等、必要に応じて転送順序を変更してもよい。
【００９３】
以上に述べた構成によれば、以下の効果を得ることができる。
【００９４】
実施例４に係る医用画像診断装置１は、記憶回路９と、処理回路１５と、転送回路１７とを備える。記憶回路９は、造影無の撮影によるシリーズ１に属するフレーム１、２、３と、造影有の撮影によるシリーズ２に属するフレーム４、５、６、７、８と、各フレームに関連付けられる複数の付帯情報とを記憶する。処理回路１５は、複数の付帯情報それぞれと、入力ＩＦ回路１１を介して入力された所定の判定条件とを照合して、当該各フレームそれぞれに対して転送の優先度を判定し、判定した優先度に基づいて各フレームそれぞれの転送順序を設定する。例えば、処理回路１５は、ＷＳ５００にてサブトラクション処理を実行するフレームが優先的に転送されるよう（すなわち、異なるシリーズに亘って、造影前後、同一寝台位置、同一断面のフレームが優先的に転送されるよう）、転送順序を設定する。転送回路１７は、当該転送順序に従って、ＷＳ５００へ複数のフレームを転送する。これにより、サブトラクション処理に必要なフレームを優先的に転送することが可能になる。その結果、実施例４に係る医用画像診断装置１は、画像データに合わせて最適な転送を実現することができる。また、フレーム単位で転送するため、サブトラクション処理を実行するまでの時間を短縮することができる。また、途中で画像転送が中断した場合であっても、受信したところまでの医用画像でサブトラクション処理を実行することができる。
【００９５】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【００９６】
（実施例５）  
図１９は、実施例５に係る医用画像診断装置１が所定のスタディ（例えば、デュアルエネルギー撮影等、同一の検査で複数のボリュームが出力される検査）を実行し、その結果当該スタディにおいて得られた同一シリーズに属する複数のデータを転送するまでの流れを示したフローチャートである。以下、図１９に従って、医用画像診断装置１が実行する転送処理について説明する。実施例５に係る医用画像診断装置１は、ボリュームに含まれるフレーム単位での転送順序を、同一シリーズ内で設定することができるものである。一例として、デュアルエネルギー画像の解析処理のための優先転送（フレーム単位）を想定して記載する。なお、上記実施例と重複する点については、詳しい説明を省略し、必要に応じて適宜記載する。
【００９７】
図１９に示すように、ステップＳｅ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って撮影を所定範囲（例えば、寝台位置０−１６０ｍｍ）について実行する。その結果、例えば、シリーズ１に属する（生データとしての）ボリューム１、２が取得される。なお、各ボリュームは、フレーム単位での複数の二次元データから構成されるものとする。
【００９８】
ステップＳｅ２において、再構成回路７は、取得された各ボリュームと設定された再構成パラメータとを用いて画像再構成処理を実行し、シリーズ１に属するボリューム１、２を生成する。ステップＳｅ３において、生成されたシリーズ毎の各ボリュームは、「ボリューム識別番号、フレーム識別番号、寝台位置（撮影範囲）、低電圧／高電圧」等を含む付帯情報が付帯され、記憶回路９に逐次記憶される。
【００９９】
図２０は、ステップＳｅ１〜Ｓｅ３の画像取得処理によって取得され、記憶回路９に記憶された画像データのデータ構造の模式図である。図２０に示す例では、シリーズ１中に、同一寝台位置（同一撮影範囲）、かつ撮像条件（管電圧）の異なる２つのボリュームが記憶される。
【０１００】
図２０ではボリューム１、２とラベリングされている。例えば、シリーズ１に属するボリューム１には、「寝台位置０−１６０ｍｍ、低電圧（Low kV）」等を含む付帯情報が付帯される。シリーズ１に属するボリューム２には、「寝台位置０−１６０ｍｍ、高電圧（High kV）」等を含む付帯情報が付帯される。
【０１０１】
図１９に示すように、ステップＳｅ４において、入力ＩＦ回路１１にて、転送の優先度（転送順序）を設定するために必要な判定条件がユーザにより入力される。例えば、判定条件として「同一寝台位置（同一撮影範囲）、デュアルエネルギー撮影（異なる電圧での撮影）、同一断面」が入力ＩＦ回路１１を介して入力される。あるいは、「デュアルエネルギー画像解析処理のための優先転送（フレーム単位）」として、プリセットされた条件を選択するようにしてもよい。ステップＳｅ５において、入力ＩＦ回路１１にて、ユーザにより処理開始ボタンが押下される。ステップＳｅ６において、当該処理開始ボタンの押下を契機として、入力された判定条件が確定される。また、ステップＳｅ７において、当該処理開始ボタンの押下を契機として、入力ＩＦ回路１１から処理回路１５へ処理開始指示が出力される。
【０１０２】
処理開始ボタンが押下された後、ステップＳｅ８において、処理回路１５は、確定された判定条件と、複数のボリュームそれぞれに関連付けられた付帯情報とを照合する。処理回路１５は、照合の結果に基づいて、当該スタディにおいて取得されたシリーズ１に属する複数のフレームそれぞれに対して転送の優先度を設定する。
【０１０３】
すなわち、図２１に示すように、処理回路１５は、例えば、判定条件として「同一寝台位置（同一撮影範囲）、デュアルエネルギー撮影（異なる電圧での撮影）、同一断面」が確定された場合、当該判定条件を満たす付帯情報に対応するボリュームがあるか絞り込む。具体的には、ステップＳＴ５−１において、「判定条件：寝台位置０−１６０ｍｍ」で、「付帯情報：寝台位置０−１６０ｍｍ」が関連付けられた医用画像を絞り込む。さらに、ステップＳＴ５−２において、「判定条件：低電圧」で、「付帯情報：低電圧」が関連付けられた医用画像を絞り込む。さらに、ステップＳＴ５−３において、「判定条件：フレーム識別番号１」で、「付帯情報：フレーム１」が関連付けられた医用画像を絞り込む。これにより、ステップＳＴ５−４において、当該判定条件を満たす転送対象として、シリーズ１に属するボリューム１のフレーム１を特定し、当該ボリューム１のフレーム１の転送順序を１として設定する。
【０１０４】
また、ステップＳＴ５−５において、「判定条件：寝台位置０−１６０ｍｍ」で、「付帯情報：寝台位置０−１６０ｍｍ」が関連付けられた医用画像を絞り込む。さらに、ステップＳＴ５−６において、「判定条件：高電圧」で、「付帯情報：高電圧」が関連付けられた医用画像を絞り込む。さらに、ステップＳＴ５−７において、「判定条件：フレーム識別番号１」で、「付帯情報：フレーム１」が関連付けられた医用画像を絞り込む。これにより、ステップＳＴ５−８において、当該判定条件を満たす転送対象として、シリーズ１に属するボリューム２のフレーム１を特定し、当該ボリューム２のフレーム１の転送順序を２として設定する。図２１に示した同様の処理が繰り返し実行される。すなわち、低電圧で撮影した画像と高電圧で撮影した画像とを比較可能な、同一寝台位置かつ同一断面の医用画像データを優先的に転送するよう、転送順序を設定する。これにより、図２２に示す転送順序と転送するフレームとを関連付けた転送テーブルが生成される。
【０１０５】
ここで、図２２に示す転送順序は一例であり、これに限定されない。例えば、「ボリューム２のフレーム１→ボリューム１のフレーム１…」や「ボリューム１のフレーム２→ボリューム２のフレーム２…」等、必要に応じて転送順序を変更してもよい。
【０１０６】
図２３は、医用画像診断装置１からＷＳ５００へ転送したデュアルエネルギー画像の表示態様の一例を示す図である。例えば、図２３に示すように、ＷＳ５００に備えられる表示回路に、低電圧で撮影した画像Ｉｍｇ１と高電圧で撮影した画像Ｉｍｇ２とが並べて表示される。
【０１０７】
以上に述べた構成によれば、以下の効果を得ることができる。
【０１０８】
実施例５に係る医用画像診断装置１は、記憶回路９と、処理回路１５と、転送回路１７とを備える。記憶回路９は、デュアルエネルギーを用いた撮影によるシリーズ１（低電圧）に属するボリューム１と、デュアルエネルギーを用いた撮影によるシリーズ２（高電圧）に属するボリューム２と、各ボリュームに関連付けられる複数の付帯情報とを記憶する。処理回路１５は、複数の付帯情報それぞれと、入力ＩＦ回路１１を介して入力された所定の判定条件とを照合して、複数のフレームそれぞれに対して転送の優先度を判定し、判定した優先度に基づいて各ボリュームそれぞれの転送順序を設定する。例えば、処理回路１５は、ＷＳ５００にて比較するフレームが優先的に転送されるよう（すなわち、シリーズ１において、同一寝台位置、同一断面のフレームが優先的に転送されるよう）、転送順序を設定する。転送回路１７は、当該転送順序に従って、ＷＳ５００へ複数のフレームを転送する。これにより、画像比較に必要なフレームを優先的に転送することが可能になる。その結果、実施例５に係る医用画像診断装置１は、同一シリーズ内でフレーム単位で転送するため、画像比較および表示までの時間を短縮することができる。また、途中で画像転送が中断した場合であっても、受信したところまでの医用画像で処理（表示）を実行することができる。
【０１０９】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【０１１０】
（実施例６）  
図２４は、実施例６に係る医用画像診断装置１が所定のスタディ（例えば、術前／術後検査等、スタディの異なる検査）を実行し、その結果当該スタディにおいて得られた複数のスタディに亘るデータを転送するまでの流れを示したフローチャートである。以下、図２４に従って、医用画像診断装置１が実行する転送処理について説明する。実施例６に係る医用画像診断装置１は、ボリュームに含まれるフレーム単位での転送順序を、複数のスタディに亘って設定することができるものである。一例として、術前／術後画像の解析処理のための優先転送（フレーム単位）を想定して記載する。なお、上記実施例と重複する点については、詳しい説明を省略し、必要に応じて適宜記載する。
【０１１１】
図２４に示すように、ステップＳｆ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って撮影を所定範囲（例えば、寝台位置０−１６０ｍｍ）について実行する。その結果、例えば、検査１（スタディ１）に関するシリーズ１に属する（生データとしての）ボリューム１と、検査２（スタディ２）に関するシリーズ１に属する（生データとしての）ボリューム２とが取得される。なお、各ボリュームは、フレーム単位での複数の二次元データから構成されるものとする。
【０１１２】
ステップＳｆ２において、再構成回路７は、取得された各ボリュームと設定された再構成パラメータとを用いて画像再構成処理を実行し、検査１（スタディ１）に関するシリーズ１に属するボリューム１と、検査２（スタディ２）に関するシリーズ１に属するボリューム２とを生成する。ステップＳｆ３において、生成されたシリーズ毎の各ボリュームは、「検査ＩＤ、ボリューム識別番号、フレーム識別番号、寝台位置（撮影範囲）、術前／術後」等を含む付帯情報が付帯され、記憶回路９に逐次記憶される。
【０１１３】
なお、ステップＳｆ３で記憶された「検査ＩＤ、ボリューム識別番号、フレーム識別番号、寝台位置（撮影範囲）、術前」を含む付帯情報が付帯されたボリュームは、例えば、術後の撮影まで期間がある場合、記憶回路９ではなく、外部に設けられた記憶装置に記憶してもよい。外部に設けられた記憶装置に記憶された当該ボリュームは、画像転送を実行する際に都度読み出すようにしてもよい。
【０１１４】
図２５は、ステップＳｆ１〜Ｓｆ３の画像取得処理によって取得され、記憶回路９に記憶された画像データのデータ構造の模式図である。図２５に示す例では、シリーズ１中に、術前に取得されたボリューム１が記憶される。また、シリーズ２中に、術後に取得されたボリューム２が記憶される。
【０１１５】
図２５ではボリューム１、２とラベリングされている。検査１に関するシリーズ１に属するボリューム１には、例えば、「検査番号１、寝台位置０−１６０ｍｍ、術前」等を含む付帯情報が付帯される。検査２に関するシリーズ１に属するボリューム２には、「検査番号２、寝台位置０−１６０ｍｍ、術後」等を含む付帯情報が付帯される。
【０１１６】
図２４に示すように、ステップＳｆ４において、入力ＩＦ回路１１にて、転送の優先度（転送順序）を設定するために必要な判定条件がユーザにより入力される。例えば、判定条件として「異なる検査（術前／術後）、同一寝台位置、同一断面」が入力ＩＦ回路１１を介して入力される。あるいは、「術前／術後画像の解析処理のための優先転送（フレーム単位）」として、プリセットされた条件を選択するようにしてもよい。ステップＳｆ５において、入力ＩＦ回路１１にて、ユーザにより処理開始ボタンが押下される。ステップＳｆ６において、当該処理開始ボタンの押下を契機として、入力された判定条件が確定される。また、ステップＳｆ７において、当該処理開始ボタンの押下を契機として、入力ＩＦ回路１１から処理回路１５へ処理開始指示が出力される。
【０１１７】
処理開始ボタンが押下された後、ステップＳｆ８において、処理回路１５は、確定された判定条件と、複数のボリュームそれぞれに関連付けられた付帯情報とを照合する。処理回路１５は、照合の結果に基づいて、当該複数のスタディにおいて取得されたシリーズ１に属するボリュームそれぞれに対して転送の優先度を設定する。
【０１１８】
すなわち、図２６に示すように、処理回路１５は、例えば、判定条件として「異なる検査（術前／術後）、同一寝台位置、同一断面」が確定された場合、当該判定条件を満たす付帯情報に対応するボリュームがあるか絞り込む。具体的には、ステップＳＴ６−１において、「判定条件：検査番号１」で、「付帯情報：検査１」が関連付けられた医用画像を絞り込む。ステップＳＴ６−２において、「判定条件：寝台位置０−１６０ｍｍ」で、「付帯情報：寝台位置０−１６０ｍｍ」が関連付けられた医用画像を絞り込む。さらに、ステップＳＴ６−３において、「判定条件：術前」で、「付帯情報：術前」が関連付けられた医用画像を絞り込む。さらに、ステップＳＴ６−４において、「判定条件：フレーム識別番号１」で、「付帯情報：フレーム１」が関連付けられた医用画像を絞り込む。これにより、ステップＳＴ６−５において、当該判定条件を満たす転送対象として、検査１に関するシリーズ１に属するボリューム１のフレーム１を特定し、当該ボリューム１のフレーム１の転送順序を１として設定する。
【０１１９】
また、ステップＳＴ６−６において、「判定条件：検査２」で、「付帯情報：検査２」が関連付けられた医用画像を絞り込む。さらに、ステップＳＴ６−７において、「判定条件：寝台位置０−１６０ｍｍ」で、「付帯情報：寝台位置０−１６０ｍｍ」が関連付けられた医用画像を絞り込む。さらに、ステップＳＴ６−８において、「判定条件：術後」で、「付帯情報：術後」が関連付けられた医用画像を絞り込む。さらに、ステップＳＴ６−９において、「判定条件：フレーム識別番号１」で、「付帯情報：フレーム１」が関連付けられた医用画像を絞り込む。これにより、ステップＳＴ６−１０において、当該判定条件を満たす転送対象として、検査２に関するシリーズ１に属するボリューム２のフレーム１を特定し、当該ボリューム２のフレーム１の転送順序を２として設定する。図２６に示した同様の処理が繰り返し実行される。すなわち、術前の画像と術後の画像とを比較可能な、同一寝台位置かつ同一断面の医用画像データを優先的に転送するよう、転送順序を設定する。これにより、図２７に示す転送順序と転送するフレームとを関連付けた転送テーブルが生成される。
【０１２０】
ここで、図２７に示す転送順序は一例であり、これに限定されない。例えば、「検査２におけるボリューム２のフレーム１→検査１におけるボリューム１のフレーム１…」や「検査１におけるボリューム１のフレーム２→検査２におけるボリューム２のフレーム２…」等、必要に応じて転送順序を変更してもよい。
【０１２１】
図２８は、医用画像診断装置１からＷＳ５００へ転送した術前／術後画像の表示態様の一例を示す図である。例えば、図２８に示すように、ＷＳ５００に備えられる表示回路に、術前に撮影した画像Ｉｍｇ３と術後に撮影した画像Ｉｍｇ４とが並べて表示される。
【０１２２】
以上に述べた構成によれば、以下の効果を得ることができる。
【０１２３】
実施例６に係る医用画像診断装置１は、記憶回路９と、処理回路１５と、転送回路１７とを備える。記憶回路９は、検査１に関するシリーズ１（術前）に属するボリューム１と、検査２に関するシリーズ２（術後）に属するボリューム２と、各ボリュームに関連付けられる複数の付帯情報とを記憶する。処理回路１５は、複数の付帯情報それぞれと、入力ＩＦ回路１１に入力された所定の判定条件とを照合して、各ボリュームに含まれる複数のフレームそれぞれに対して転送の優先度を判定し、判定した優先度に基づいて各フレームそれぞれの転送順序を設定する。例えば、処理回路１５は、ＷＳ５００にて比較するフレームが優先的に転送されるよう（すなわち、各スタディのシリーズ１において、同一寝台位置、同一断面のフレームが優先的に転送されるよう）、転送順序を設定する。転送回路１７は、当該転送順序に従って、ＷＳ５００へ複数のフレームを転送する。これにより、画像比較に必要なフレームを優先的に転送することが可能になる。その結果、実施例６に係る医用画像診断装置１は、異なるスタディに亘ってフレーム単位で転送するため、画像比較および表示までの時間を短縮することができる。また、途中で画像転送が中断した場合であっても、受信したところまでの医用画像で処理（表示）を実行することができる。
【０１２４】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【０１２５】
（実施例７）
上記実施例１乃至６において、処理開始ボタンの押下を契機として、設定処理を開始していたが、これに限定されない。実施例７に係る医用画像診断装置１は、処理開始ボタンの押下を契機とせずに転送の優先度を設定して、画像を転送することが可能である。
【０１２６】
図２９は、実施例７における医用画像診断装置１が所定のスタディ（例えば、造影剤を用いた循環器系の検査）を実行し、その結果当該スタディにおいて得られた複数シリーズに亘るデータを転送するまでの流れを示したフローチャートである。以下、図２９に従って、医用画像診断装置１が実行する転送処理について説明する。なお、上記実施例と重複する点については、詳しい説明を省略し、必要に応じて適宜記載する。
【０１２７】
図２９に示すように、ステップＳｇ１において、記憶回路９にて、転送の優先度（転送順序）を設定するために必要な判定条件が予め記憶される。
【０１２８】
図２９に示すように、ステップＳｇ２において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って、撮影を実行する。その結果、例えば、（生データとしての）複数のボリュームが取得される。ステップＳｇ３において、再構成回路７は、取得された各ボリュームと設定された再構成パラメータとを用いて画像再構成処理を実行し、複数のボリュームを生成する。ステップＳｇ４において、生成された複数のボリュームは、付帯情報が付帯され、処理回路１５に出力される。さらに、ステップＳｇ５において、処理回路１５にて、当該複数のボリュームの受信を契機として、当該判定条件を満たすボリュームが受信した複数のボリュームに存在するか判定される。当該判定条件を満たすボリュームが受信した複数のボリュームに存在すると判定された場合（ステップＳｇ５のＹｅｓ）、ステップＳｇ６において、処理回路１５にて、入力された判定条件が読み出される。
【０１２９】
ステップＳｇ８において、処理回路１５は、読み出された判定条件と、複数のボリュームに関連付けられた付帯情報を照合する。処理回路１５は、照合の結果に基づいて、当該スタディにおいて取得された各シリーズに属する複数のボリュームそれぞれに対して転送の優先度を設定する。
【０１３０】
以上に述べた構成によれば、以下の効果を得ることができる。
【０１３１】
実施例７に係る医用画像診断装置１は、記憶回路９と、処理回路１５と、転送回路１７とを備える。記憶回路９は、複数の医用画像と、複数の医用画像それぞれに関連付けられる複数の付帯情報と、所定の判定条件とを記憶する。処理回路１５は、複数の付帯情報それぞれと、記憶された所定の判定条件とを照合して、複数の医用画像それぞれに対して転送の優先度を判定し、判定した優先度に基づいて各フレームそれぞれの転送順序を設定する。転送回路１７は、当該転送順序に従って、ネットワークＮＷを介して接続された、ＷＳ５００とＰＡＣＳ７００とのうち少なくとも１つへ複数の医用画像を転送する。その結果、実施例７に係る医用画像診断装置１は、処理開始を指示するトリガがなくても転送の優先度を記憶された判定条件に基づいて設定し、設定した優先度の高い順に転送することができる。
【０１３２】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【０１３３】
（第２実施形態）
図３０は、第２実施形態に係る医用画像転送システムを示すブロック図である。なお、第１実施形態と重複する部分については、詳しい説明を省略する。
【０１３４】
図３０に示すように、医用画像転送システムは、医用画像診断装置１と、画像データ解析を実行する医用画像解析装置（ワークステーション（ＷＳ））５００と、医用画像を保管するＰＡＣＳ７００とを備える。例えば、医用画像診断装置１と、ＷＳ５００と、ＰＡＣＳ７００とは、互いにネットワークＮＷを介して接続される。なお、図３０では、医用画像診断装置１の一例として、Ｘ線ＣＴ装置の構成を示す。なお、第２実施形態において、医用画像診断装置１の一例として、Ｘ線ＣＴ装置の構成を示すが、これに限定されない。例えば、医用画像診断装置１は、ＭＲＩ装置、Ｘ線診断装置、核医学診断装置、および超音波診断装置等であってもよい。
【０１３５】
ＷＳ５００は、表示回路５０１、入力ＩＦ回路５０３と、通信ＩＦ回路５０５とを備える。
【０１３６】
表示回路５０１は、例えば、記憶回路９に記憶される画像に関するリスト（付帯情報を含む）およびＣＴ画像等を表示デバイスに表示する。表示デバイスとしては、ＣＲＴ、ＬＣＤ、ＯＥＬＤあるいはプラズマディスプレイ等が適宜利用可能である。
【０１３７】
入力ＩＦ回路５０３は、ユーザの操作に応じたコマンド等を入力するインターフェイスである。例えば、表示回路５０１に表示されたリストを参照して、入力ＩＦ回路５０３によりユーザの操作に応じたコマンド等を入力することで、ユーザにより転送の優先度（転送順序）を設定するために必要な情報（判定条件）が入力される。入力ＩＦ回路５０３は、例えば、キーボード、マウス、タッチパネル、トラックボールおよび各種ボタン等を含む。
【０１３８】
通信ＩＦ回路５０５は、有線あるいは無線にて外部装置と通信する。外部装置は、例えば、モダリティ、ＲＩＳ、ＨＩＳおよびＰＡＣＳ等のシステムに含まれるサーバ、あるいは他のワークステーション等である。第２実施形態において、例えば、通信ＩＦ回路５０５は、医用画像診断装置１およびＰＡＣＳ７００と通信する。
【０１３９】
ＰＡＣＳ７００は、表示回路７０１、入力ＩＦ回路７０３と、通信ＩＦ回路７０５とを備える。
【０１４０】
表示回路７０１は、例えば、記憶回路９に記憶される画像に関するリスト（付帯情報を含む）およびＣＴ画像等を表示デバイスに表示する。表示デバイスとしては、ＣＲＴ、ＬＣＤ、ＯＥＬＤあるいはプラズマディスプレイ等が適宜利用可能である。
【０１４１】
入力ＩＦ回路７０３は、ユーザの操作に応じたコマンド等を入力するインターフェイスである。例えば、表示回路７０１に表示されたリストを参照して、入力ＩＦ回路７０３によりユーザの操作に応じたコマンド等を入力することで、ユーザにより転送の優先度（転送順序）を設定するために必要な情報（判定条件）が入力される。入力ＩＦ回路５０３は、例えば、キーボード、マウス、タッチパネル、トラックボールおよび各種ボタン等を含む。
【０１４２】
通信ＩＦ回路７０５は、有線あるいは無線にて外部装置と通信する。外部装置は、例えば、モダリティ、ＲＩＳ、ＨＩＳおよびＰＡＣＳ等のシステムに含まれるサーバ、あるいは他のワークステーション等である。第２実施形態において、例えば、通信ＩＦ回路７０５は、医用画像診断装置１およびＷＳ５００と通信する。
【０１４３】
図３１は、第２実施形態に係る医用画像診断装置１が所定のスタディ（例えば、造影剤を用いた心臓検査）を実行し、その結果当該スタディにおいて得られた複数シリーズに亘るデータを転送するまでの流れを示したフローチャートである。以下、図３１に従って、医用画像診断装置１が実行する転送処理について説明する。
【０１４４】
図３１に示すように、ステップＳｈ１において、患者条件や所定の撮影条件（診断部位、撮影手法、管電圧、管電流、再構成パラメータ、造影無／有、撮影範囲（寝台位置）、心時相等）が入力された後、システム制御回路２１は、所定の撮影シーケンスに従って、造影前撮影、および造影後撮影を所定範囲（例えば、寝台位置０−３００ｍｍ）について実行する。その結果、例えば、造影前撮影としてのシリーズ１に属する（raw dataとしての）ボリューム１、２、３と、造影後撮影としてのシリーズ２に属する（raw dataとしての）ボリューム４、５、６とが取得される。ステップＳｈ２において、再構成回路７は、取得された各ボリュームと設定された再構成パラメータとを用いて画像再構成処理を実行し、造影無の撮影によるシリーズ１に属するボリューム１、２，３と、造影有の撮影によるシリーズ２に属するボリューム４、５、６とを生成する。ステップＳｈ３において、生成されたシリーズ毎の各ボリュームは、「ボリューム識別番号、造影無／有、寝台位置（撮影範囲）、ＥＣＧ波形における心時相」等を含む付帯情報が付帯され、記憶回路９に逐次記憶される。
【０１４５】
図３１に示すように、ステップＳｈ４において、入力ＩＦ回路５０３にて、転送の優先度（転送順序）を設定するために必要な判定条件がユーザにより入力される。さらに、ステップＳｈ５において、入力ＩＦ回路５０３にて、ユーザにより処理開始ボタンが押下される。ステップＳｈ６において、当該処理開始ボタンの押下を契機として、入力された判定条件が確定される。また、ステップＳｈ７において、当該処理開始ボタンの押下を契機として、入力ＩＦ回路５０３から処理回路１５へ処理開始指示が出力される。
【０１４６】
処理開始ボタンが押下された後、ステップＳｈ８において、処理回路１５は、確定された判定条件と、複数のボリュームそれぞれに関連付けられた付帯情報を照合する。ステップＳｈ９において、処理回路１５は、照合の結果に基づいて、当該スタディにおいて取得された各シリーズに属する複数のボリュームそれぞれに対して転送の優先度を設定する。
【０１４７】
ステップＳｈ１１において、処理回路１５は、転送回路１７へ転送テーブルを出力する。ステップＳｈ１２において、転送回路１７は、受信した転送テーブルに従い、転送の優先度の高いボリュームを記憶回路９から順に読み出す。記憶回路９は、転送回路１７からの画像読み出しに応じて、転送回路１７へ対応する複数のボリュームを出力する。ステップＳｈ１３において、転送回路１７は、転送テーブルに従って読み出したボリュームを、要求元であるＷＳ５００へ転送する。
【０１４８】
以上に述べた構成によれば、以下の効果を得ることができる。
【０１４９】
第２実施形態に係る医用画像診断装置１は、記憶回路９と、処理回路１５と、転送回路１７とを備える。記憶回路９は、複数の医用画像と、複数の医用画像それぞれに関連付けられる複数の付帯情報とを記憶する。処理回路１５は、複数の付帯情報それぞれと、入力ＩＦ回路５０３に入力された所定の判定条件とを照合して、複数の医用画像それぞれに対して転送の優先度を判定し、判定した優先度に基づいて各フレームそれぞれの転送順序を設定する。転送回路１７は、当該転送順序に従って、ネットワークＮＷを介して接続されたＷＳ５００へ複数の医用画像を転送する。その結果、第２実施形態に係る医用画像診断装置１は、途中で画像転送が中断した場合であっても、受信したところまでの医用画像で処理（表示）を実行することができる。
【０１５０】
なお、当該システム制御回路２１は、当該所定の撮影シーケンスに従った撮影と、当該優先度の設定とを行うための付帯情報として、寝台位置を用いていたが、これに限定されない。システム制御回路２１は、例えば、患者の所定の位置を原点とした患者座標を用いて、撮影および設定を行ってもよい。
【０１５１】
また、上記実施形態において、医用画像診断装置１は、いわゆる第３世代であるとした。すなわち、医用画像診断装置１は、Ｘ線管３０５とＸ線検出器３０７とが一体となって回転軸の周囲を回転する回転／回転型（Rotate／Rotate-Type）であるとした。しかしながら、本実施形態に係る医用画像診断装置１は、それのみに限定されない。例えば、医用画像診断装置１は、リング状に配列された多数の受光帯が固定され、Ｘ線管３０５のみが回転軸の周囲を回転する固定／回転型（Stationary／Rotate-Type）でもよい。また、医用画像診断装置１は、リング状に配列された多数の受光帯が固定され、リング状に陽極が配置され、電磁偏向により電子ビームを陽極に照射させる第５世代でもよい。
【０１５２】
また、上記説明において用いた「所定のプロセッサ」という文言は、例えば、専用又は汎用のprocessor、circuit(circuitry)、processing circuit(circuitry)、operation circuit(circuitry)、arithmetic circuit(circuitry)、あるいは、特定用途向け集積回路（ＡＳＩＣ：Application Specific Integrated Circuit）、プログラマブル論理デバイス（例えば、単純プログラマブル論理デバイス（ＳＰＬＤ：Simple Programmable Logic Device）、複合プログラマブル論理デバイス（ＣＰＬＤ：Complex Programmable Logic Device）、およびフィールドプログラマブルゲートアレイ（ＦＰＧＡ：Field Programmable Gate Array）等を意味する。また、本実施形態の各構成要素（各処理回路）は、単一のプロセッサに限らず、複数のプロセッサによって実現するようにしてもよい。さらに、複数の構成要素（複数の処理回路）を、単一のプロセッサによって実現するようにしてもよい。
【０１５３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１５４】
１…医用画像撮影装置、３…ガントリ、３０１…スリップリング、３０３…管電圧発生装置、３０５…Ｘ線管、３０７…Ｘ線検出器、３０９…データ収集回路（ＤＡＳ）、３１１…非接触データ伝送装置、５…前処理回路、７…再構成回路、９…記憶回路、１１…入力インターフェース（ＩＦ）回路、１３…表示回路、１７…転送回路、１９…通信インターフェイス（ＩＦ）回路、２１…システム制御回路、５００…ワークステーション（ＷＳ）、５０１…表示回路、５０３…入力インターフェース（ＩＦ）回路、５０５…通信インターフェイス（ＩＦ）回路、７００…医用画像保管装置（ＰＡＣＳ）、７０１…表示回路、７０３…入力インターフェース（ＩＦ）回路、７０５…通信インターフェイス（ＩＦ）回路。
【図１】
2017000750.tif 000003
【図２Ａ】
2017000750.tif 000004
【図２Ｂ】
2017000750.tif 000005
【図３】
2017000750.tif 000006
【図４】
2017000750.tif 000007
【図５】
2017000750.tif 000008
【図６】
2017000750.tif 000009
【図７】
2017000750.tif 000010
【図８】
2017000750.tif 000011
【図９】
2017000750.tif 000012
【図１０】
2017000750.tif 000013
【図１１】
2017000750.tif 000014
【図１２】
2017000750.tif 000015
【図１３】
2017000750.tif 000016
【図１４】
2017000750.tif 000017
【図１５】
2017000750.tif 000018
【図１６】
2017000750.tif 000019
【図１７】
2017000750.tif 000020
【図１８】
2017000750.tif 000021
【図１９】
2017000750.tif 000022
【図２０】
2017000750.tif 000023
【図２１】
2017000750.tif 000024
【図２２】
2017000750.tif 000025
【図２３】
2017000750.tif 000026
【図２４】
2017000750.tif 000027
【図２５】
2017000750.tif 000028
【図２６】
2017000750.tif 000029
【図２７】
2017000750.tif 000030
【図２８】
2017000750.tif 000031
【図２９】
2017000750.tif 000032
【図３０】
2017000750.tif 000033
【図３１】
2017000750.tif 000034